(57)【特許請求の範囲】
【請求項１】
底板を有する下部ユニットと、
前板、向板、及び一対の側板を有して上記下部ユニットの上に載せられる上部ユニットとを備え、
上記上部ユニットは、該上部ユニットの下端に形成され、上記前板の長手方向へ延びる部分と、上記向板の長手方向へ延びる部分と、各上記側板の長手方向へ延びる部分とを有する下向き段部を備え、
上記下向き段部は、側面が上記上部ユニットの外側を向く形状であり、
上記下部ユニットは、該下部ユニットの上端に形成され、上記下向き段部と嵌まり合って上記下部ユニットに対する上記上部ユニットの相対的な変位を規制する上向き段部を備え、
上記上向き段部は、側面が上記下部ユニットの内側を向く形状であり、
上記上部ユニットは、該上部ユニットの前板の前面を覆う上部化粧板を備え、
上記上部化粧板は、厚板部と、該厚板部から下方へ突出する下側薄板部とを有し、
上記下部ユニットは、該下部ユニットの前板の前面を覆う下部化粧板を備え、
上記下部化粧板は、厚板部と、該厚板部から上方へ突出し且つ上記上部化粧板の下側薄板部の前側に位置する薄板部とを有し、
上記下部ユニットの上向き段部の側面が上記上部ユニットの下向き段部の側面と接し、上記下部化粧板の薄板部の側面が上記上部化粧板の下側薄板部の側面と接することによって、上記下部ユニットに対する上記上部ユニットの相対的な変位を規制する
ことを特徴とする引き出し。
【請求項２】
請求項１において、
上記下向き段部は、上記上部ユニットの全周に亘って形成されている
ことを特徴とする引き出し。
【発明の詳細な説明】
【技術分野】
【０００１】
本発明は、収納家具等に用いられる引き出しに関するものである。
【背景技術】
【０００２】
特許文献１には、深さを変えられる引き出しが開示されている。この引き出しは、四角い枠状の上部ユニットと、上部ユニットに底板を加えた構造の下部ユニットとを備えている。そして、下部ユニットの上に重ねる上部ユニットの数を増減させると、引き出しの深さが変化する。
【０００３】
引用文献１の引き出しにおいて、積層された下部ユニットと上部ユニットは、ボルトによって互いに連結される。つまり、上部ユニットでは、前板と向板と一対の側板とのそれぞれに上下方向の貫通孔が形成される。そして、その貫通孔に挿し通されたボルトによって、上部ユニットが下部ユニットに固定される。
【先行技術文献】
【特許文献】
【０００４】
【特許文献１】特開２００４−１５４２１８号公報
【発明の概要】
【発明が解決しようとする課題】
【０００５】
引用文献１の引き出しでは、上部ユニットと下部ユニットが四本のボルトによって連結している。このため、引き出しの深さを変更するために上部ユニットと下部ユニットを切り離す際には、四本のボルトを着脱する必要があり、手間がかかるという問題があった。
【０００６】
また、引用文献１の引き出しでは、上部ユニットにボルトを通すための貫通孔が形成される。上部ユニットの上面は、引き出しを使用する際にユーザーの目に付きやすい場所である。このため、上部ユニットに上面に貫通孔が開口していると、引き出しの使用時の美観が損なわれるという問題があった。
【０００７】
本発明は、かかる点に鑑みてなされたものであり、その目的は、上部ユニットと下部ユニットを組み合わせて構成される引き出しの使い勝手と美観を保つことにある。
【課題を解決するための手段】
【０００８】
第１の発明は、引き出しを対象とする。そして、底板を有する下部ユニットと、前板、向板、及び一対の側板を有して上記下部ユニットの上に載せられる上部ユニットとを備え、上記上部ユニットは、該上部ユニットの下端に形成され、上記前板の長手方向へ延びる部分と、上記向板の長手方向へ延びる部分と、各上記側板の長手方向へ延びる部分とを有する下向き段部を備え、上記下向き段部は、側面が上記上部ユニットの外側を向く形状であり、上記下部ユニットは、該下部ユニットの上端に形成され、上記下向き段部と嵌まり合って上記下部ユニットに対する上記上部ユニットの相対的な変位を規制する上向き段部を備え、上記上向き段部は、側面が上記下部ユニットの内側を向く形状であり、上記上部ユニットは、該上部ユニットの前板の前面を覆う上部化粧板を備え、上記上部化粧板は、厚板部と、該厚板部から下方へ突出する下側薄板部とを有し、上記下部ユニットは、該下部ユニットの前板の前面を覆う下部化粧板を備え、上記下部化粧板は、厚板部と、該厚板部から上方へ突出し且つ上記上部化粧板の下側薄板部の前側に位置する薄板部とを有し、上記下部ユニットの上向き段部の側面が上記上部ユニットの下向き段部の側面と接し、上記下部化粧板の薄板部の側面が上記上部化粧板の下側薄板部の側面と接することによって、上記下部ユニットに対する上記上部ユニットの相対的な変位を規制するものである。
【０００９】
第１の発明では、上部ユニットの下端に下向き段部が形成され、下部ユニットの上端に上向き段部が形成される。下部ユニットの上に上部ユニットを載せると、上向き段部が下向き段部と嵌まり合う。上部ユニットの下向き段部には、前板の長手方向へ延びる部分と、向板の長手方向へ延びる部分と、各側板の長手方向へ延びる部分とが設けられる。下向き段部のうち前板と向板のそれぞれの長手方向へ延びる部分が上向き段部と嵌まり合うと、下部ユニットに対する上部ユニットの前後方向の変位が規制される。下向き段部のうち各側板の長手方向へ延びる部分が上向き段部と嵌まり合うと、下部ユニットに対する上部ユニットの左右方向の変位が規制される。また、上部ユニットを持ち上げれば、下向き段部が上向き段部から離れ、上部ユニットが下部ユニットから取り外される。
【００１０】
また、第１の発明において、下部ユニットに上部ユニットを載せると、上部ユニットの下向き段部の側面が、下部ユニットの上向き段部の側面の内側に入り込む。
【００１１】
第２の発明は、上記第１の発明において、上記下向き段部は、上記上部ユニットの全周に亘って形成されるものである。
【００１２】
第２の発明の下向き段部では、前板の長手方向へ延びる部分が各側板の長手方向へ延びる部分と連続し、向板の長手方向へ延びる部分が各側板の長手方向へ延びる部分と連続する。
【発明の効果】
【００１３】
本発明では、下部ユニットの上向き段部と上部ユニットの下向き段部が互いに嵌まり合うことによって、下部ユニットに対する上部ユニットの相対的な変位が規制される。このため、下部ユニットの上に上部ユニットを載せる作業を行うだけで、下部ユニットと上部ユニットを組み合わせて引き出しを形成することができる。また、下部ユニットに載った上部ユニットを持ち上げる作業を行うだけで、上部ユニットが下部ユニットから切り離される。従って、本発明によれば、工具やボルト等の締結部材を用いずに上部ユニットを下部ユニットに着脱でき、上部ユニットと下部ユニットを組み合わせて構成される引き出しの使い勝手を向上させることができる。
【００１４】
また、本発明の上部ユニットでは、ユーザーの目に付きやすい上面に貫通孔は開口しない。このため、上部ユニットと下部ユニットを組み合わせて構成される引き出しの美観を保つことができる。
【図面の簡単な説明】
【００１５】
【図１】図１は、実施形態１の収納家具の概略斜視図である。
【図２】図２は、第１上部ユニットを備えた実施形態１の引き出しの斜視図である。
【図３】図３は、実施形態１の引き出しを構成する下部ユニットの斜視図である。
【図４】図４は、実施形態１の引き出しを構成する第１上部ユニットの斜め上から見た斜視図である。
【図５】図５は、実施形態１の引き出しを構成する第１上部ユニットの斜め下から見た斜視図である。
【図６Ａ】図６Ａは、第１上部ユニットの左右方向と直交する断面を示す断面図である。
【図６Ｂ】図６Ｂは、下部ユニットの左右方向と直交する断面を示す断面図である。
【図６Ｃ】図６Ｃは、引き出しの左右方向と直交する断面を示す断面図である。
【図７Ａ】図７Ａは、図６ＡのＡ−Ａ断面を示す第１上部ユニットの断面図である。
【図７Ｂ】図７Ｂは、図６ＢのＢ−Ｂ断面を示す下部ユニットの断面図である。
【図７Ｃ】図７Ｃは、図６ＣのＣ−Ｃ断面を示す引き出しの断面図である。
【図８】図８は、実施形態１の引き出しを構成する第２上部ユニットの斜め上から見た斜視図である。
【図９】図９は、実施形態１の引き出しを構成する第３上部ユニットの斜め上から見た斜視図である。
【図１０】図１０は、引き出しの深さを変更した実施形態１の収納家具の概略斜視図である。
【図１１】図１１は、実施形態２の引き出しを構成する上部ユニットの斜め上から見た斜視図である。
【図１２】図１２は、実施形態２の引き出しの斜視図である。
【図１３Ａ】図１３Ａは、分解状態の実施形態２の引き出しの左右方向と直交する断面を示す断面図である。
【図１３Ｂ】図１３Ｂは、組み立て状態の実施形態２の引き出しの左右方向と直交する断面を示す断面図である。
【図１４Ａ】図１４Ａは、図１３ＡのＤ−Ｄ断面を示す分解状態の引き出しの断面図である。
【図１４Ｂ】図１４Ｂは、図１３ＢのＥ−Ｅ断面を示す組み立て状態の引き出しの断面図である。
【図１５】図１５は、各引き出しの深さが等しい状態の実施形態２の収納家具の概略斜視図である。
【図１６】図１６は、各引き出しの深さが図１５とは異なる状態の実施形態２の収納家具の概略斜視図である。
【発明を実施するための形態】
【００１６】
本発明の実施形態を図面に基づいて詳細に説明する。なお、以下で説明する実施形態および変形例は、本質的に好ましい例示であって、本発明、その適用物、あるいはその用途の範囲を制限することを意図するものではない。
【００１７】
《実施形態１》
実施形態１について説明する。
【００１８】
本実施形態の引き出しを備えた収納家具１を図１に示す。この収納家具１は、一つの箱体２と、三つの引き出し５,６,７とを備えている。なお、引き出し５〜７の数は単なる一例である。
【００１９】
箱体２は、前面が開口する直方体状の部材である。図示しないが、箱体２の左右の側板の内側面には、引き出し５〜７をスライド自在に支持するガイドが設けられている。
【００２０】
−引き出しの構成−
図２に示すように、各引き出し５〜７は、下部ユニット１０と第１上部ユニット５１とによって構成されている。
【００２１】
〈下部ユニット〉
下部ユニット１０について、図３、図６Ｂ、図７Ｂを参照しながら説明する。この下部ユニット１０は、下部本体２０と、下部化粧板４０とを備えている。
【００２２】
下部本体２０は、底板２１と枠部２２とを備えている。底板２１は、左右方向に長い長方形板状の部材である。枠部２２は、長方形の枠状に形成され、底板２１の周囲を囲むように配置されている。枠部２２の縦断面は、上下に長い長方形状である（図６Ｂ、図７Ｂを参照）。枠部２２の上端部は、枠部２２の全周に亘って、底板２１の上面よりも上方へ突出している。
【００２３】
枠部２２のうち底板２１の上面よりも上方へ突出した部分は、上向き段部３０を構成している。この上向き段部３０は、第一段が底板２１の上面によって構成され、第二段が枠部２２の上端面によって構成され、内向きの側面３１が枠部２２のうち底板２１よりも上方へ突出した部分の内側面によって構成されている。
【００２４】
下部化粧板４０は、下部本体２０の前面よりも一回り大きな長方形板状の部材である。下部化粧板４０は、下部本体２０の前面を覆うように配置されている。下部化粧板４０は、厚板部４１と薄板部４２とを備えている（図３、図６Ｂを参照）。厚板部４１は、その上端面が枠部２２の上端面と同一平面を形成するように配置されている。薄板部４２は、厚板部４１よりも板厚の薄い部分である。薄板部４２は、厚板部４１の上端から上方へ突出している。薄板部４２の前面は、厚板部４１の前面と同一平面を形成している。また、薄板部４２は、下部化粧板４０の長手方向の全長に亘って形成されている。
【００２５】
〈第１上部ユニット〉
第１上部ユニット５１について、図４、図５，図６Ａ、図７Ａを参照しながら説明する。この第１上部ユニット５１は、上部本体６０と、上部化粧板８０とを備えている。
【００２６】
上部本体６０は、長方形の枠状の部材である。上部本体６０は、前板６１と、向板６２と、右側板６３と、左側板６４とを備えている。前板６１、向板６２、右側板６３、及び左側板６４のそれぞれは、互いに厚さが等しい長方形板状の部材である。
【００２７】
上部本体６０には、枠状突部６５が形成されている（図５を参照）。枠状突部６５は、上部本体６０の内周縁に沿って形成された長方形の枠状の部分である。この枠状突部６５は、前板６１、向板６２、右側板６３、及び左側板６４の下端面から下方へ突出している。枠状突部６５の幅は、前板６１、向板６２、右側板６３、及び左側板６４の厚さの概ね半分程度である。
【００２８】
枠状突部６５は、下向き段部７０を構成している。この下向き段部７０は、第一段が前板６１、向板６２、右側板６３、及び左側板６４の下端面によって構成され、第二段が枠状突部６５の突端面によって構成され、外向きの側面７５が枠状突部６５の外側面によって構成されている。下向き段部７０の高さは、下部ユニット１０の上向き段部３０の高さと実質的に等しい。下向き段部７０は、前板６１の長手方向に沿った部分が前方部分７１を構成し、向板６２の長手方向に沿った部分が後方部分７２を構成し、右側板６３の長手方向に沿った部分が右側方部分７３を構成し、左側板６４の長手方向に沿った部分が左側方部分７４を構成している。
【００２９】
枠状突部６５の外側縁部の形状は、長方形である。また、下部ユニット１０の枠部２２の内側縁部の形状も、長方形である。枠状突部６５の外側縁部の長辺は、下部ユニット１０の枠部２２の内側縁部の長辺よりも僅かに短い。枠状突部６５の外側縁部の短辺は、下部ユニット１０の枠部２２の内側縁部の短辺よりも僅かに短い。また、枠状突部６５の幅と下部ユニット１０の枠部２２の厚さとの合計は、前板６１、向板６２、右側板６３、及び左側板６４のそれぞれの厚さと等しい。
【００３０】
上部化粧板８０は、上部本体６０の前面よりも一回り大きな長方形板状の部材である。上部化粧板８０は、上部本体６０の前面を覆うように配置されている。上部化粧板８０は、厚板部８１と上側薄板部８２と下側薄板部８３とを備えている（図４、図５、図６Ａを参照）。
【００３１】
厚板部４１は、その上端面が前板６１の上端面と同一平面を形成するように配置されている。上側薄板部８２と下側薄板部８３のそれぞれは、厚板部８１よりも板厚の薄い部分である。上側薄板部８２は、厚板部８１の上端から上方へ突出している。上側薄板部８２の前面は、厚板部８１の前面と同一平面を形成している。下側薄板部８３は、厚板部８１の下端から下方へ突出している。下側薄板部８３の背面は、厚板部８１の背面と同一平面を形成している。下側薄板部８３の下端面は、前板６１の下端面と同一平面を形成している。上側薄板部８２と下側薄板部８３のそれぞれは、下部化粧板４０の長手方向の全長に亘って形成されている。
【００３２】
上部化粧板８０の厚板部８１の厚さは、下部化粧板４０の厚板部４１の厚さと実質的に等しい。上部化粧板８０の下側薄板部８３の厚さと下部化粧板４０の薄板部４２の厚さの合計は、上部化粧板８０の厚板部８１の厚さと実質的に等しい。上部化粧板８０の下側薄板部８３の高さは、下部化粧板４０の薄板部４２の高さと実質的に等しい。上側薄板部８２の板厚と下側薄板部８３の板厚の合計は、厚板部８１の板厚と実質的に等しい。上側薄板部８２の高さは、下側薄板部８３の高さと実質的に等しい。
【００３３】
〈引き出しの組み立て〉
上述したように、図２に示す引き出し５〜７は、下部ユニット１０と第１上部ユニット５１とによって構成されている。この引き出し５〜７は、下部ユニット１０に第１上部ユニット５１を載せることによって組み立てられる。
【００３４】
図６Ｃと図７Ｃに示すように、下部ユニット１０に第１上部ユニット５１を載せると、下部ユニット１０の枠部２２の内側に、第１上部ユニット５１の枠状突部６５が嵌まり込む。つまり、下部ユニット１０の上向き段部３０と、第１上部ユニット５１の下向き段部７０とが互いに嵌まり合う。
【００３５】
具体的に、第１上部ユニット５１の下向き段部７０は、前方部分７１と後方部分７２のそれぞれの外向きの側面７５が、下部ユニット１０の上向き段部３０の内向きの側面３１と接する（図６Ｃを参照）。その結果、下部ユニット１０に対する第１上部ユニット５１の前後方向への相対的な変位が規制される。
【００３６】
また、第１上部ユニット５１の下向き段部７０は、右側方部分７３と左側方部分７４のそれぞれの外向きの側面７５が、下部ユニット１０の上向き段部３０の内向きの側面３１と接する（図７Ｃを参照）。その結果、下部ユニット１０に対する第１上部ユニット５１の左右方向への相対的な変位が規制される。
【００３７】
ただし、第１上部ユニット５１の下向き段部７０の外向きの側面７５と、下部ユニット１０の上向き段部３０の内向きの側面３１との間には、第１上部ユニット５１を下部ユニット１０に容易に着脱できる程度のクリアランスが設けられている。
【００３８】
更に、図６Ｃに示すように、下部ユニット１０に第１上部ユニット５１を載せると、下部化粧板４０の薄板部４２の後側に、上部化粧板８０の下側薄板部８３が入り込む。ユーザーが上部化粧板８０の上側薄板部８２に手を掛けて引き出し５〜７を引き出す際には、上部化粧板８０の下側薄板部８３が下部化粧板４０の薄板部４２に当たることによっても、下部ユニット１０に対する第１上部ユニット５１の前方への相対的な変位が規制される。
【００３９】
−引き出しの深さの変更−
本実施形態の引き出し５〜７は、第１上部ユニット５１に代えて第２上部ユニット５２又は第３上部ユニット５３を下部ユニット１０と組み合わせることによって、深さが変更可能となっている。
【００４０】
図８に示すように、第２上部ユニット５２は、上部本体６０の高さと、上部化粧板８０の厚板部８１の高さとが、第１上部ユニット５１と異なる。それ以外の点において、第２上部ユニット５２の構成は、第１上部ユニット５１と同じである。第２上部ユニット５２の上部本体６０の高さは、第１上部ユニット５１の上部本体６０の高さの半分である。第２上部ユニット５２の上部化粧板８０の厚板部８１の高さは、第１上部ユニット５１の上部化粧板８０の厚板部８１の高さよりも低い。この第２上部ユニット５２と下部ユニット１０を組み合わせた引き出し５〜７の深さは、第１上部ユニット５１と下部ユニット１０を組み合わせた引き出し５〜７の深さの半分となる。
【００４１】
図９に示すように、第３上部ユニット５３は、上部本体６０の高さと、上部化粧板８０の厚板部８１の高さとが、第１上部ユニット５１と異なる。それ以外の点において、第３上部ユニット５３の構成は、第１上部ユニット５１と同じである。第３上部ユニット５３の上部本体６０の高さは、第１上部ユニット５１の上部本体６０の高さの二倍である。第３上部ユニット５３の上部化粧板８０の厚板部８１の高さは、第１上部ユニット５１の上部化粧板８０の厚板部８１の高さよりも高い。この第３上部ユニット５３と下部ユニット１０を組み合わせた引き出し５〜７の深さは、第１上部ユニット５１と下部ユニット１０を組み合わせた引き出し５〜７の深さの二倍となる。
【００４２】
図１０に示す収納家具１は、図１に示す収納家具１の引き出し５〜７の深さを変更したものである。この図１０の収納家具１では、最下段の引き出し５が、第３上部ユニット５３と下部ユニット１０によって構成され、中段の引き出し６と最上段の引き出し７のそれぞれが、第２上部ユニット５２と下部ユニット１０によって構成されている。
【００４３】
−実施形態１の効果−
本実施形態では、下部ユニット１０の上向き段部３０と上部ユニット５１,５２,５３の下向き段部７０が互いに嵌まり合うことによって、下部ユニット１０に対する上部ユニット５１〜５３の相対的な変位が規制される。このため、下部ユニット１０の上に上部ユニット５１〜５３を載せる作業を行うだけで、下部ユニット１０と上部ユニット５１〜５３を組み合わせて引き出し５〜７を形成することができる。また、下部ユニット１０に載った上部ユニット５１〜５３を持ち上げる作業を行うだけで、上部ユニット５１〜５３が下部ユニット１０から切り離される。従って、本実施形態によれば、工具やボルト等の締結部材を用いずに上部ユニット５１〜５３を下部ユニット１０に着脱でき、上部ユニット５１〜５３と下部ユニット１０を組み合わせて構成される引き出し５〜７の使い勝手を向上させることができる。
【００４４】
また、本実施形態の上部ユニット５１〜５３において、ユーザーの目に付きやすい上部本体６０の上面は、貫通孔が開口しない平坦面となる。このため、上部ユニット５１〜５３と下部ユニット１０を組み合わせて構成される引き出し５〜７の美観を保つことができる。
【００４５】
また、本実施形態の引き出し５〜７では、上部ユニット５１〜５３を下部ユニット１０から簡単に取り外すことができる。このため、掃除の際に上部ユニット５１〜５３を下部ユニット１０から取り外すことによって、引き出し５〜７の隅に溜まったほこり等を簡単に取り除くことができ、清掃作業が容易となる。
【００４６】
また、本実施形態の引き出し５〜７では、上部ユニット５１〜５３の上部化粧板８０に上側薄板部８２が形成されている。上側薄板部８２は、厚板部８１よりも薄く、しかも厚板部８１の前面寄りに配置されている。このため、ユーザーは、上側薄板部８２の裏側に指先を差し込み、上側薄板部８２を手がかりとして引き出し５〜７を引き出すことができる。従って、本実施形態によれば、ユーザーが引き出し５〜７を引き出す操作が容易となり、この点においても、引き出し５〜７の使い勝手を向上させることができる。
【００４７】
《実施形態２》
実施形態２について説明する。ここでは、本実施形態の引き出し５〜７について、実施形態1の引き出し５〜７と異なる点を説明する。
【００４８】
−引き出しの構成−
本実施形態の引き出し５〜７は、一種類の上部ユニット５０を用いて深さを変更可能に構成されている。この引き出し５〜７は、下部ユニット１０と組み合わせる上部ユニット５０の数を変更することによって、その深さを変更できるように構成されている。
【００４９】
〈上部ユニット〉
図１１,図１３Ａ,図１４Ａに示すように、本実施形態の上部ユニット５０は、上部本体６０に内周凹部６６が形成されている。内周凹部６６は、上部本体６０の上端面の内周側の角部を、上部本体６０の内周縁の全周に亘って切り欠くことによって形成されている。内周凹部６６の深さは、枠状突部６５の高さと実質的に等しい。また、内周凹部６６の幅と枠状突部６５の幅の合計は、前板６１、向板６２、右側板６３、及び左側板６４のそれぞれの厚さと実質的に等しい。
【００５０】
内周凹部６６は、上向き段部９０を構成している。この上向き段部９０は、第一段が内周凹部６６の底面によって構成され、第二段が前板６１、向板６２、右側板６３、及び左側板６４の上端面によって構成され、内向きの側面９１が内周凹部６６の外側壁面によって構成されている。上向き段部９０の高さは、下向き段部７０の高さと実質的に等しい。
【００５１】
〈引き出しの組み立て〉
下部ユニット１０と二つの上部ユニット５０ａ,５０ｂとを組み合わせた引き出し５〜７について、図１２, 図１３Ｂ,図１４Ｂを参照しながら説明する。この引き出し５〜７は、下部ユニット１０と一つ目の上部ユニット５０ａと二つ目の上部ユニット５０ｂを順に積み重ねることによって組み立てられる。
【００５２】
図１３Ｂと図１４Ｂに示すように、下部ユニット１０に一つ目の上部ユニット５０ａを載せると、下部ユニット１０の枠部２２の内側に、上部ユニット５０ａの枠状突部６５が嵌まり込む。つまり、下部ユニット１０の上向き段部３０と、上部ユニット５０ａの下向き段部７０とが互いに嵌まり合う。その結果、下部ユニット１０に対する上部ユニット５０ａの前後左右方向への相対的な変位が規制される。この点は、実施形態１の引き出し５〜７と同様である。また、実施形態１の引き出しと同様に、上部ユニット５０ａの下向き段部７０の外向きの側面７５と、下部ユニット１０の上向き段部３０の内向きの側面３１との間には、上部ユニット５０ａを下部ユニット１０に容易に着脱できる程度のクリアランスが設けられている。
【００５３】
一つ目の上部ユニット５０ａに二つ目の上部ユニット５０ｂを載せると、上部ユニット５０ａの内周凹部６６に、上部ユニット５０ｂの枠状突部６５が嵌まり込む。つまり、上部ユニット５０ａの上向き段部９０と、上部ユニット５０ｂの下向き段部７０とが互いに嵌まり合う。
【００５４】
具体的に、上部ユニット５０ｂの下向き段部７０は、前方部分７１と後方部分７２のそれぞれの外向きの側面７５が、上部ユニット５０ａの上向き段部９０の内向きの側面９１と接する（図１３Ｂを参照）。その結果、一つ目の上部ユニット５０ａに対する二つ目の上部ユニット５０ｂの前後方向への相対的な変位が規制される。
【００５５】
また、上部ユニット５０ｂの下向き段部７０は、右側方部分７３と左側方部分７４のそれぞれの外向きの側面７５が、上部ユニット５０ａの上向き段部９０の内向きの側面９１と接する（図１４Ｂを参照）。その結果、一つ目の上部ユニット５０ａに対する二つ目の上部ユニット５０ｂの左右方向への相対的な変位が規制される。
【００５６】
ただし、上部ユニット５０ｂの下向き段部７０の外向きの側面７５と、上部ユニット５０ａの上向き段部９０の内向きの側面９１との間には、二つ目の上部ユニット５０ｂを一つ目の上部ユニット５０ａに容易に着脱できる程度のクリアランスが設けられている。
【００５７】
更に、図１３Ｂに示すように、下部ユニット１０に二つの上部ユニット５０ａ,５０ｂを載せると、下部化粧板４０の薄板部４２の後側に、上部ユニット５０ａの上部化粧板８０の下側薄板部８３が入り込み、上部ユニット５０ａの上部化粧板８０の上側薄板部８２の後側に、上部ユニット５０ｂの上部化粧板８０の下側薄板部８３が入り込む。ユーザーが上部ユニット５０ｂの上部化粧板８０の上側薄板部８２に手を掛けて引き出し５〜７を引き出す際には、上部ユニット５０ａの上部化粧板８０の下側薄板部８３が下部化粧板４０の薄板部４２に当たり、上部ユニット５０ｂの上部化粧板８０の下側薄板部８３が上部ユニット５０ａの上部化粧板８０の上側薄板部８２に当たることによっても、下部ユニット１０に対する上部ユニット５０ａ,５０ｂの前方への相対的な変位が規制される。
【００５８】
−引き出しの深さの変更−
図１５に示す収納家具１では、各引き出し５〜７が、下部ユニット１０と二つの上部ユニット５０によって構成されている。この場合、各引き出し５〜７の深さは、互いに等しくなる。
【００５９】
一方、図１６に示す収納家具１では、最下段の引き出し５が、下部ユニット１０と四つの上部ユニット５０によって構成され、中段の引き出し６と最上段の引き出し７のそれぞれが、下部ユニット１０と一つの上部ユニット５０によって構成されている。この場合、最下段の引き出し５の深さは、図１５に示す引き出し５〜７の深さの二倍となり、中段の引き出し６と最上段の引き出し７のそれぞれの深さは、図１５に示す引き出し５〜７の深さの半分となる。
【００６０】
−実施形態２の効果−
本実施形態によれば、一種類の上部ユニット５０を用いて、引き出し５〜７の深さを変更可能とすることができる。このため、引き出し５〜７を構成する部品の種類の増加を最小限に抑えることができ、引き出し５〜７の製造コストを抑えることが可能となる。
【００６１】
《その他の実施形態》
−第１の変形例−
上記各実施形態の引き出し５〜７において、上部ユニットの下向き段部７０は、上部本体６０の全周に亘って形成されている必要は無い。
【００６２】
具体的に、下向き段部７０の前方部分７１は、前板６１の長手方向の一部だけに形成されていてもよいし、前板６１の長手方向の複数箇所に形成されていてもよい。また、下向き段部７０の後方部分７２は、向板６２の長手方向の一部だけに形成されていてもよいし、向板６２の長手方向の複数箇所に形成されていてもよい。また、下向き段部７０の右側方部分７３は、右側板６３の長手方向の一部だけに形成されていてもよいし、右側板６３の長手方向の複数箇所に形成されていてもよい。また、下向き段部７０の左側方部分７４は、左側板６４の長手方向の一部だけに形成されていてもよいし、左側板６４の長手方向の複数箇所に形成されていてもよい。
【００６３】
−第２の変形例−
上記各実施形態の引き出し５〜７では、下部ユニット１０の下部化粧板４０と、上部ユニット５０,５１,５２,５３の上部化粧板８０の一方または両方が省略されていてもよい。
【００６４】
下部ユニット１０の下部化粧板４０が省略される場合は、下部本体２０の枠部２２のうち引き出し５〜７の前面に位置する部分が、下部化粧板を兼ねる。一方、上部ユニット５０〜５３の上部化粧板８０が省略される場合は、上部本体６０の前板６１が、上部化粧板を兼ねる。
【産業上の利用可能性】
【００６５】
以上説明したように、本発明は、収納家具等に用いられる引き出しについて有用である。
【符号の説明】
【００６６】
５,６,７    引き出し
１０    下部ユニット
２１    底板
３０    上向き段部
３１    側面
５０    上部ユニット
５１    第１上部ユニット
５２    第２上部ユニット
５３    第３上部ユニット
６１    前板
６２    向板
６３    右側板
６４    左側板
７０    下向き段部
７１    前方部分
７２    後方部分
７３    右側方部分
７４    左側方部分
７５    側面
【図１】
0006696755.tif 000002
【図２】
0006696755.tif 000003
【図３】
0006696755.tif 000004
【図４】
0006696755.tif 000005
【図５】
0006696755.tif 000006
【図６Ａ】
0006696755.tif 000007
【図６Ｂ】
0006696755.tif 000008
【図６Ｃ】
0006696755.tif 000009
【図７Ａ】
0006696755.tif 000010
【図７Ｂ】
0006696755.tif 000011
【図７Ｃ】
0006696755.tif 000012
【図８】
0006696755.tif 000013
【図９】
0006696755.tif 000014
【図１０】
0006696755.tif 000015
【図１１】
0006696755.tif 000016
【図１２】
0006696755.tif 000017
【図１３Ａ】
0006696755.tif 000018
【図１３Ｂ】
0006696755.tif 000019
【図１４Ａ】
0006696755.tif 000020
【図１４Ｂ】
0006696755.tif 000021
【図１５】
0006696755.tif 000022
【図１６】
0006696755.tif 000023